【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
超音波信号を対象体に送信し、前記対象体から反射される超音波エコー信号を受信して超音波データを取得する超音波データ取得部と、
前記超音波データを用いてボリュームデータを形成し、ユーザの入力情報に基づいて前記ボリュームデータに基準断面、基準点およびウィンドーを設定し、前記基準断面、前記基準点および前記ウィンドーに基づいてＮＴ（ｎｕｃｈａｌ  ｔｒａｎｓｌｕｃｅｎｃｙ）の厚さを測定するためのサジタルビュー（ｓａｇｉｔｔａｌ  ｖｉｅｗ）を前記ボリュームデータに設定し、前記サジタルビューを含む複数のスライスを前記ボリュームデータに設定し、前記ボリュームデータを用いて前記複数のスライスに対応する複数のスライス映像を形成するプロセッサと
を備えることを特徴とする超音波システム。
【請求項２】
前記プロセッサは、
前記超音波データを用いて前記ボリュームデータを形成するボリュームデータ形成部と、
前記入力情報に基づいて前記ボリュームデータに前記基準断面を設定する基準断面設定部と、
前記入力情報に基づいて前記基準断面に前記基準点を設定する基準点設定部と、
前記基準点を基準として前記基準断面に前記ウィンドーを設定するウィンドー設定部と、
前記基準断面、前記基準点および前記ウィンドーに基づいて前記ボリュームデータに前記サジタルビューを設定するサジタルビュー設定部と、
前記サジタルビューを含む前記複数のスライスを前記ボリュームデータに設定するスライス設定部と、
前記ボリュームデータを用いて前記複数のスライスに対応する前記複数のスライス映像を形成する映像形成部と
を備えることを特徴とする請求項１に記載の超音波システム。
【請求項３】
前記サジタルビュー設定部は、前記基準断面、前記基準点および前記ウィンドーを第１の方向に一定間隔ずつ複数の移動位置に移動させながら前記各移動位置で第１の基準値を設定し、前記第１の基準値から最大の第１の基準値を検出し、前記最大の第１の基準値に対応する前記移動位置に前記基準断面、前記基準点および前記ウィンドーを移動させ、前記基準点を基準として前記基準断面および前記ウィンドーを第２の方向の回転軸に対して一定角度ずつ複数の回転角度で回転させながら前記各回転角度で第２の基準値を設定し、前記第２の基準値から最大の第２の基準値を検出し、前記最大の第２の基準値に対応する前記回転角度に前記基準断面および前記ウィンドーを回転させて、前記ボリュームデータに前記サジタルビューを設定することを特徴とする請求項２に記載の超音波システム。
【請求項４】
前記サジタルビュー設定部は、前記ウィンドーのピクセルの輝度値を検出し、前記検出された輝度値の平均値を算出し、前記平均値を前記第１および第２の基準値に設定することを特徴とする請求項３に記載の超音波システム。
【請求項５】
前記サジタルビュー設定部は、前記ウィンドーのピクセルの輝度値を検出し、前記検出された輝度値の合算値を算出し、前記合算値を前記第１および第２の基準値として設定することを特徴とする請求項３に記載の超音波システム。
【請求項６】
前記サジタルビュー設定部は、前記ウィンドーのピクセルに対してグラジエント大きさ（ｇｒａｄｉｅｎｔ  ｍａｇｎｉｔｕｄｅ）および方位（ｏｒｉｅｎｔａｔｉｏｎ）を求め、前記グラジエント大きさおよび前記方位を用いてヒストグラムを形成し、前記ヒストグラムを分析してピークを検出し、前記ピークを前記第１および第２の基準値として設定することを特徴とする請求項３に記載の超音波システム。
【請求項７】
前記入力情報を受信するユーザ入力部
をさらに備えることを特徴とする請求項１ないし６のいずれかに記載の超音波システム。
【請求項８】
前記入力情報は、
前記基準断面を前記ボリュームデータに設定する第１の入力情報と、
前記基準断面に前記基準点を設定する第２の入力情報と
を含むことを特徴とする請求項１ないし７のいずれかに記載の超音波システム。
【請求項９】
前記入力情報は、
前記複数のスライス映像の中いずれか一つのスライス映像を選択する第３の入力情報
をさらに含むことを特徴とする請求項１ないし８のいずれかに記載の超音波システム。
【請求項１０】
前記プロセッサは、
前記複数のスライス映像から前記第３の入力情報に該当する前記スライス映像を抽出し、前記抽出されたスライス映像から前記基準点を基準に前記ＮＴの輪郭を検出し、前記検出された輪郭を用いて前記ＮＴの厚さを測定するＮＴ厚さ測定部
をさらに備えることを特徴とする請求項９に記載の超音波システム。
【請求項１１】
ａ）超音波信号を対象体に送信し、前記対象体から反射される超音波エコー信号を受信して超音波データを取得する段階と、
ｂ）前記超音波データを用いてボリュームデータを形成する段階と、
ｃ）ユーザの入力情報に基づいて前記ボリュームデータに基準断面、基準点およびウィンドーを設定する段階と、
ｄ）前記基準断面、前記基準点および前記ウィンドーに基づいてＮＴ（ｎｕｃｈａｌ  ｔｒａｎｓｌｕｃｅｎｃｙ）の厚さを測定するためのサジタルビューを前記ボリュームデータに設定する段階と、
ｅ）前記サジタルビューを含む複数のスライスを前記ボリュームデータに設定する段階と、
ｆ）前記ボリュームデータを用いて前記複数のスライスに対応する複数のスライス映像を形成する段階と
を備えることを特徴とする複数のスライス映像提供方法。
【請求項１２】
前記段階ｃ）は、
前記入力情報に基づいて前記ボリュームデータに前記基準断面を設定する段階と、
前記入力情報に基づいて前記基準断面に前記基準点を設定する段階と、
前記基準点を基準として前記基準断面に前記ウィンドーを設定する段階と
を備えることを特徴とする請求項１１に記載の複数のスライス映像提供方法。
【請求項１３】
前記段階ｄ）は、
ｄ１）前記基準断面、前記基準点および前記ウィンドーを第１の方向に一定間隔ずつ複数の移動位置に移動させながら前記各移動位置で第１の基準値を設定する段階と、
ｄ２）前記第１の基準値から最大の第１の基準値を検出する段階と、
ｄ３）前記最大の第１の基準値に対応する前記移動位置に前記基準断面、前記基準点および前記ウィンドーを移動させる段階と、
ｄ４）前記基準点を基準として前記基準断面および前記ウィンドーを第２の方向の回転軸に対して一定角度ずつ複数の回転角度で回転させながら前記各回転角度で第２の基準値を設定する段階と、
ｄ５）前記第２の基準値から最大の第２の基準値を検出する段階と、
ｄ６）前記最大の第２の基準値に対応する前記回転角度に前記基準断面および前記ウィンドーを回転させて前記サジタルビューを前記ボリュームデータに設定する段階と
を備えることを特徴とする請求項１１または１２に記載の複数のスライス映像提供方法。
【請求項１４】
前記段階ｄ１）は、
前記ウィンドーのピクセルの輝度値を検出する段階と、
前記検出された輝度値の平均値を算出する段階と、
前記平均値を前記第１の基準値として設定する段階と
を備えることを特徴とする請求項１３に記載の複数のスライス映像提供方法。
【請求項１５】
前記段階ｄ１）は、
前記ウィンドーのピクセルの輝度値を検出する段階と、
前記検出された輝度値の合算値を算出する段階と、
前記合算値を前記第１の基準値として設定する段階と
を備えることを特徴とする請求項１３に記載の複数のスライス映像提供方法。
【請求項１６】
前記段階ｄ１）は、
前記ウィンドーのピクセルに対してグラジエント大きさ（ｇｒａｄｉｅｎｔ  ｍａｇｎｉｔｕｄｅ）および方位（ｏｒｉｅｎｔａｔｉｏｎ）を求める段階と、
前記グラジエント大きさおよび前記方位を用いてヒストグラムを形成する段階と、
前記ヒストグラムを分析してピークを検出する段階と、
前記検出されたピークを前記第１の基準値として設定する段階と
を備えることを特徴とする請求項１３に記載の複数のスライス映像提供方法。
【請求項１７】
前記段階ｄ４）は、
前記ウィンドーのピクセルの輝度値を検出する段階と、
前記検出された輝度値の平均値を算出する段階と、
前記平均値を前記第２の基準値として設定する段階と
を備えることを特徴とする請求項１３または１４に記載の複数のスライス映像提供方法。
【請求項１８】
前記段階ｄ４）は、
前記ウィンドーのピクセルの輝度値を検出する段階と、
前記検出された輝度値の合算値を算出する段階と、
前記合算値を前記第２の基準値として設定する段階と
を備えることを特徴とする請求項１３または１５に記載の複数のスライス映像提供方法。
【請求項１９】
前記段階ｄ４）は、
前記ウィンドーのピクセルに対してグラジエント大きさ（ｇｒａｄｉｅｎｔ  ｍａｇｎｉｔｕｄｅ）および方位（ｏｒｉｅｎｔａｔｉｏｎ）を求める段階と、
前記グラジエント大きさおよび前記方位を用いてヒストグラムを形成する段階と、
前記ヒストグラムを分析してピークを検出する段階と、
前記検出されたピークを前記第２の基準値として設定する段階と
を備えることを特徴とする請求項１３または１６に記載の複数のスライス映像提供方法。
【請求項２０】
前記入力情報は、
前記基準断面を前記ボリュームデータに設定する第１の入力情報と、
前記基準断面に前記基準点を設定する第２の入力情報と
を備えることを特徴とする請求項１１ないし１９のいずれかに記載の複数のスライス映像提供方法。
【請求項２１】
ｇ）前記複数のスライス映像の中からいずれか一つのスライス映像を選択する第３の入力情報を受信する段階と、
ｈ）前記複数のスライス映像から前記第３の入力情報に該当する前記スライス映像を抽出する段階と、
ｉ）前記抽出されたスライス映像から前記基準点を基準に前記ＮＴの輪郭を検出する段階と、
ｊ）前記検出された輪郭を用いて前記ＮＴの厚さを測定する段階とをさらに備えることを特徴とする請求項１１ないし２０のいずれかに記載の複数のスライス映像提供方法。
【請求項２２】
複数のスライス映像を提供する方法を行うためのプログラムを格納するコンピュータ読み出し可能の記録媒体であって、前記方法は、
ａ）超音波信号を対象体に送信し、前記対象体から反射される超音波エコー信号を受信して超音波データを取得する段階と、
ｂ）前記超音波データを用いてボリュームデータを形成する段階と、
ｃ）ユーザの入力情報に基づいて前記ボリュームデータに基準断面、基準点およびウィンドーを設定する段階と、
ｄ）前記基準断面、前記基準点および前記ウィンドーに基づいてＮＴ（ｎｕｃｈａｌ  ｔｒａｎｓｌｕｃｅｎｃｙ）の厚さを測定するためのサジタルビューを前記ボリュームデータに設定する段階と、
ｅ）前記サジタルビューを含む複数のスライスを前記ボリュームデータに設定する段階と、
ｆ）前記ボリュームデータを用いて前記複数のスライスに対応する複数のスライス映像を形成する段階と
を備えることを特徴とするコンピュータ読み出し可能記録媒体。